(57)【要約】【課題】不適切な改造による信頼性の低下を回避できる電気機器を提供する。【解決手段】先端にプラグを有する電源コードを備えた電気機器において、該プラグにリアクタンス素子を内蔵し、該電気機器の本体に該リアクタンス素子のリアクタンスの大きさを同定する同定回路を設け、該同定回路の出力に応じて、該電気機器の運転の可／不可を決する制御装置を備える。本発明の電気機器によれば、不適切な改造による信頼性の低下を回避することができる。【選択図】図３
2014146524.tif 000002
【特許請求の範囲】
【請求項１】
先端にプラグを有する電源コードを備えた電気機器において、該プラグにリアクタンス素子を内蔵し、該電気機器の本体に該リアクタンス素子のリアクタンスの大きさを同定する同定回路を設け、該同定回路の出力に応じて、該電気機器の運転の可／不可を決する制御装置を備えることを特徴とする電気機器。
【請求項２】
請求項１において、前記リアクタンス素子は誘導成分が支配的であることを特徴とする電気機器。
【請求項３】
請求項２において、前記誘導成分が支配的であるリアクタンス素子としてコイルを使用することを特徴とする電気機器。
【請求項４】
請求項３において、前記コイルのインダクタンスの大きさを５０μＨ〜２ｍＨとすることを特徴とする電気機器。
【請求項５】
請求項２において、前記同定回路は前記リアクタンス素子を含むＬＣ共振回路の発振周波数が所定の範囲であるときに該リアクタンス素子を所定のものと同定することを特徴とする電気機器。
【請求項６】
請求項５において、前記同定回路が前記リアクタンス素子を所定のものと同定した場合は、該電気機器の運転を可とする制御装置を備えることを特徴とする電気機器。
【請求項７】
請求項６おいて、前記制御装置が該電気機器の運転を可としない場合に電源コードの異常を報知する報知手段を有することを特徴とする電気機器。
【請求項８】
請求項１乃至７の何れかにおいて、前記電源コードに該電気機器の使用電流を賄う主導体と並列に、前記リアクタンス素子と前記同定回路を結ぶ副導体を設けることを特徴とする電気機器。
【請求項９】
請求項８において、前記副導体の絶縁被覆と前記主導体の絶縁被覆が１体に形成され、該副導体の導体断面積が該主導体の導体断面積の５％以上、２５％以下であることを特徴とする電気機器。
【請求項１０】
請求項８において、前記副導体の絶縁被覆と前記主導体の絶縁被覆が１体に形成され、該副導体の導体断面積が０．１〜０．５ｍｍ2であることを特徴とする電気機器。
【請求項１１】
請求項８において、前記副導体が撚り線で構成されていることを特徴とする電気機器。
【請求項１２】
請求項８の電気機器において、前記リアクタンス素子と前記同定回路間の該電気機器本体内の配線に、直列に電流ヒューズ、並列にバリスタを設けることを特徴とする電気機器。
【請求項１３】
請求項１において、前記プラグに前記リアクタンス素子の他に、電流ヒューズ、温度ヒューズ、感熱素子の何れか１以上を内蔵することを特徴とする電気機器。
【請求項１４】
請求項１において、前記電源コードの該電気機器本体側の接続部を挿抜、螺着等の再現可能な接続方式とすることを特徴とする電気機器。
【請求項１５】
請求項１において、前記リアクタンス素子のリアクタンスの大きさを少なくとも前記プラグの刃型に応じて変更することを特徴とする電気機器。
【請求項１６】
先端にプラグを有する電源コードを備えた空気調和機において、該プラグにリアクタンス素子を内蔵し、該空気調和機に該リアクタンス素子のリアクタンスの大きさを同定する同定回路を設け、該同定回路の出力に応じて、該空気調和機の運転の可／不可を決する制御装置を備えることを特徴とする空気調和機。
【請求項１７】
請求項１６において、前記リアクタンス素子のリアクタンスの大きさを少なくとも前記プラグの刃型に応じて変更し、該リアクタンスの大きさから該プラグの許容電流を求め、求められた許容電流の範囲内で該空気調和機を運転することを特徴とする空気調和機。
【発明の詳細な説明】
【技術分野】
【０００１】
本発明は、電気機器の電源コードに関する。
【背景技術】
【０００２】
空気調和機のような運転電流が大きな電気機器は小さい容量の配線やコンセントを使用すると電圧の降下や、異常な過熱を引起し、危険な事態が生じる可能性があるので専用のコンセントを設けることが行われている。しかし、コンセントまでの配線は、建物の建築時に壁に埋め込んで行われることが多い。
【０００３】
このため、必ずしも、コンセントの受刃と電気機器の挿刃が合うとは限らず、また、設置する電気機器の近くにコンセントが設けられていないときも有り、電気機器に付属の電源コードが挿し込めなかったり、コンセントまで届かなかったりの予想外の事態になる。このようなときには、専用のコンセントを電気機器の近くに設置しなおすことが必要となる。
【０００４】
しかし、これを省略して、電源コードを切断し、市販のプラグやコードを使用し、刃型を合わせたり、コードを延長したりして、簡略に工事を済ませてしまいたいと言う誘惑が作業者に生まれることは想像に難くない。このような改造を行うと、つなぎ直した部分の強度や耐浸水性、屈曲性、絶縁性など改造前に比べて性能が劣化し、周囲の環境条件によっては劣化が著しく進む恐れも出てくる。
【０００５】
また、毎年全国で電源コードの改造による火災事故が発生し、企業や行政による注意喚起の啓蒙活動にもかかわらず、被災する顧客が後を絶たず、これを削減することが望まれている。
【０００６】
このような状況の中、電源コード、プラグの信頼性の向上を図って、事故を少なくするため、種々の工夫がなされている。この種の従来技術として、特許４６２５２０４、実開平１−９６６７６、特開２０１１−１９２４９３、特開２００２−３５２６３５、特開平０７−０６７２４５が知られている。
【０００７】
特許文献１では電源コードは２本の電源線と感知線と有し、コード可触部の絶縁性被覆材料の厚さよりも感知線と電源線間の被覆部の方が薄く形成されている。折り曲げや引っ張りによる経時疲労等で電源線が半断線状態で破損すると電源線の破断した細線の先端が飛び出して被覆の薄い感知線に接触し感知線に電流が流れて電源線間に電流差が生じ、これを電源遮断装置が検知してラッチを外し常時閉連動スイッチを開いて電源を遮断する。これにより、コード内部の電源線の破損を早期に感知して電源を遮断し電気機器及び周囲の環境の安全性を確保する安全装置付き電源コードについて述べている。
【０００８】
特許文献２ではコイルに電流を流すことにより、電源キャップをコンセントから引き外す機構を備えた電源キャップにおいて、電源キャップに高周波受信器を設け、電源波形に重畳させた機器本体の高周波発振器からの信号を受信したときにコイルに電流を流し、引き外し機構を作動させる。これにより、ロック機構を解除するための信号線が不要となり、コスト軽減を図ることができ、また電源コードが太くならず、電源コードの収納スペースを小さくでき機器本体の小型化を図ることができる電源キャップの離脱装置について述べている。
【０００９】
特許文献３では複数の異なる材質の導線からなるコードとプラグとからなる安全装置つき電源コードであって、コードは、第１の導線が第２の導線よりも損傷しやすい材質で形成され、プラグは、第１の導線が断線を検出した場合に、コードへの電力供給を停止する。これにより、電力を供給するためのコードが断線することが予想される程度に損傷していることを予め検出することで、安全性を向上させる安全装置つき電源コードについて述べている。
【００１０】
特許文献４ではコンセントに挿着される金属接続端子を有するプラグとこれに接続された電源供給のための第１のケーブルと、プラグに内蔵され金属接続端子の温度を感知する感温素子と、この感温素子に接続された信号伝送のための第２のケーブルとを有し、第２のケーブルから温度検出のための信号を得る。
【００１１】
これにより、給電設備条件によらず接触不良の発生を検知し、発煙，発火等の事故を未然に防止することが容易になる温度センサ付き電源コードについて述べている。
【００１２】
特許文献５では負荷に対する電源供給回路に、電源プラグの温度を検知する温度センサとこの温度センサの温度検知結果に基づいて作動する電流遮断装置とからなる安全装置を配備する。
【００１３】
これにより、シヤワートイレ、浴槽湯清浄化装置といった錆が発生し易く人目に付きにくい環境に設置され、しかもヒータが配備されているために電流容量が大きく、電源プラグが接触不良により過熱し事故を起こし易い装置の安全性が保たれる電源供給回路の安全装置について述べている。
【先行技術文献】
【特許文献】
【００１４】
【特許文献１】特許４６２５２０４号公報
【特許文献２】実開平１−９６６７６号公報
【特許文献３】特開２０１１−１９２４９３号公報
【特許文献４】特開２００２−３５２６３５号公報
【特許文献５】特開平０７−０６７２４５号公報
【発明の概要】
【発明が解決しようとする課題】
【００１５】
本発明は、このような現実を踏まえ、現場の作業者が電源コード改造の誘惑を断ち切る手助けするもので、現場での電源コードの改造を困難にし、改造によって生じる結果をその場で理解できるようにして、改造を思い止まらせるようにするものである。
【００１６】
特許文献１〜５では電源コードを意図的に切断して、延長したり、刃型を変更したり等の改造した場合についての言及は無い。
【００１７】
本発明が解決しようとする課題は、不適切な改造による信頼性の低下を回避できる電気機器及び空気調和機を提供することにある。
【課題を解決するための手段】
【００１８】
本発明が解決しようとする第１の課題は、先端にプラグを有する電源コードを備えた電気機器において、該プラグにリアクタンス素子を内蔵し、該電気機器の本体に該リアクタンス素子のリアクタンスの大きさを同定する同定回路を設け、該同定回路の出力に応じて、該電気機器の運転の可／不可を決する制御装置を備えることにより達成される。
【００１９】
請求項２に記載の電気機器は請求項１の電気機器において、前記リアクタンス素子は誘導成分が支配的であるものである。
【００２０】
請求項３に記載の電気機器は請求項２の電気機器において、前記誘導成分が支配的であるリアクタンス素子としてコイルを使用するものである。
【００２１】
請求項４に記載の電気機器は請求項３の電気機器において、前記コイルのインダクタンスの大きさを５０μＨ〜２ｍＨとするものである。
【００２２】
請求項５に記載の電気機器は請求項２の電気機器において、前記同定回路は前記リアクタンス素子を含むＬＣ共振回路の発振周波数が所定の範囲であるときに該リアクタンス素子を所定のものと同定するものである。
【００２３】
請求項６に記載の電気機器は請求項５の電気機器において、前記同定回路が前記リアクタンス素子を所定のものと同定した場合は、該電気機器の運転を可とする制御装置を備えるものである。
【００２４】
請求項７に記載の電気機器は請求項６の電気機器において、前記制御装置が該電気機器の運転を可としない場合に電源コードの異常を報知する報知手段を有するものである。
【００２５】
請求項８に記載の電気機器は請求項１乃至７の電気機器において、前記電源コードに該電気機器の使用電流を賄う主導体と並列に、前記リアクタンス素子と前記同定回路を結ぶ副導体を設けるものである。
【００２６】
請求項９に記載の電気機器は請求項８の電気機器において、前記副導体の絶縁被覆と前記主導体の絶縁被覆が１体に形成され、該副導体の導体断面積が該主導体の導体断面積の５％以上、２５％以下であるものである。
【００２７】
請求項１０に記載の電気機器は請求項８の電気機器において、前記副導体の絶縁被覆と前記主導体の絶縁被覆が１体に形成され、該副導体の導体断面積が０．１〜０．５ｍｍ2であるものである。
【００２８】
請求項１１に記載の電気機器は請求項８の電気機器において、前記副導体が撚り線で構成されているものである。
【００２９】
請求項１２に記載の電気機器は請求項８の電気機器において、前記リアクタンス素子と前記同定回路間の該電気機器本体内の配線に、直列に電流ヒューズ、並列にバリスタを設けるものである。
【００３０】
請求項１３に記載の電気機器は請求項１の電気機器において、前記プラグに前記リアクタンス素子の他に、電流ヒューズ、温度ヒューズ、感熱素子の何れか１以上を内蔵するものである。
【００３１】
請求項１４に記載の電気機器は請求項１の電気機器において、前記電源コードの該電気機器本体側の接続部を挿抜、螺着等の再現可能な接続方式とするものである。
【００３２】
請求項１５に記載の電気機器は請求項１の電気機器において、前記リアクタンス素子のリアクタンスの大きさを少なくとも前記プラグの刃型に応じて変更するものである。
【００３３】
本発明が解決しようとする第２の課題は、先端にプラグを有する電源コードを備えた空気調和機において、該プラグにリアクタンス素子を内蔵し、該空気調和機に該リアクタンス素子のリアクタンスの大きさを同定する同定回路を設け、該同定回路の出力に応じて、該空気調和機の運転の可／不可を決する制御装置を備えることにより達成される。
【００３４】
請求項１７に記載の空気調和機は請求項１６の空気調和機において、前記リアクタンス素子のリアクタンスの大きさを少なくとも前記プラグの刃型に応じて変更し、該リアクタンスの大きさから該プラグの許容電流を求め、求められた許容電流の範囲内で該空気調和機を運転するものである。
【発明の効果】
【００３５】
請求項１に記載の発明によれば、不適切な改造による信頼性の低下を回避できる電気機器を提供することができる。
【００３６】
請求項２によれば、誤判定が少なく、適正に据付けられた製品の信頼性を適正に維持することができる。
【００３７】
請求項３、５によれば、信頼性が低下した改造での運転が拒否される。
【００３８】
請求項３〜７、９〜１２、１４、１５によれば、改造に因る事故のリスクの増加を回避できる。
【００３９】
請求項４によれば、適正に、リアクタンスを同定して、改造の有無を判定できる。
【００４０】
請求項６によれば、電源コードが正常な場合は支障なく運転でき、電源コードが改造された場合には運転を不可にする。
【００４１】
請求項７によれば、復旧までの時間を短縮できる。
【００４２】
請求項８によれば、電源コード先端のプラグに埋め込んだリアクタンス素子のリアクタンスの大きさの同定が容易で、電源コードの改造が面倒となる。
【００４３】
請求項９、１０によれば、電源コードの改造がほとんど不可能となる。
【００４４】
請求項１１、１２によれば、同定回路の信頼性が向上する。
【００４５】
請求項１３によれば、電源コードにまつわる諸種のリスクが軽減される。
【００４６】
請求項１４〜請求項１５によれば、電源コードの改造を思いとどまらせる。
【００４７】
請求項１６によれば、不適切な改造による信頼性の低下を回避できる空気調和機を提供することができる。
【００４８】
請求項１７によれば、電源コードの改造が抑止され、信頼性の低下を回避できる。
【図面の簡単な説明】
【００４９】
【図１】本発明の実施の形態１における電源コードのプラグ部部分図。
【図２】本発明の実施の形態１における電源コードの回路図。
【図３】本発明の実施の形態１における電源コードのプラグ異常の検出回路図。
【図４】本発明の実施の形態１における電源コードの改造例１。
【図５】本発明の実施の形態１における電源コードの改造例２。
【図６】本発明の実施の形態１における電源コードの改造例３。
【図７】本発明の実施の形態２における電源コードのプラグ異常の検出回路図。
【図８】本発明の実施の形態２における電源コードの改造例。
【図９】従来の一般的な電源コードのプラグ部部分図。
【図１０】従来の一般的な電源コードの改造例。
【図１１】従来の形態１における電源コードのプラグ部部分図。
【図１２】従来の形態１における電源コードの回路図。
【図１３】従来の形態１における電源コードのプラグ異常の検出回路図。
【図１４】従来の形態１における電源コードの改造例。
【図１５】従来の形態２における電源コードのプラグ異常の検出回路図。
【図１６】従来の形態２における電源コードの改造例１。
【図１７】従来の形態２における電源コードの改造例２。
【図１８】従来の形態２における電源コードの改造例３。
【発明を実施するための形態】
【００５０】
最初に、従来の一般的な電源コードを使用した場合について図９〜図１０を用いて説明する。図９は従来の一般的な電源コードのプラグ部部分図である。図１０は従来の一般的な電源コードの改造例である。
【００５１】
図９〜図１０において、３は電源コード、１１はプラグ、１２は挿刃、１３はコード、１４は主導体、１７は絶縁材（絶縁被覆）、６１は主導体捩り部、１１３は市販のコードである。
【００５２】
電気機器の一般的な電源コードは電気機器に電力を供給する主導体を絶縁材１７で覆い、主導体１４にコンセントに挿入する挿刃１２を加締等の手段で取付、取付部を絶縁性の樹脂で覆って形成されている。前述したように、消費する電力が大きい空気調和機などの電気機器には、十分な容量のコンセントと電源コードが必要で、電気機器に取付けられる電源コードは当然のことながら、これを満たしているものが使用されている。
【００５３】
他方、コンセントは、家屋の新築時に設置されるので、消費電力の大きい電気機器の設置場所近くに十分な容量のコンセントがない場合もある。このような場合、消費電力の大きい電気機器の設置場所近くに十分な容量のコンセントを設置することが必要となるが、往々にして、図９のように電気機器に取付けてあるコード１３をＣ部で切断して、市販のコード１１３で途中をつなぐ改造で間に合わせてしまう例があると思われる。
【００５４】
この場合、図１０のように、市販のコード１１３の両端と切断した電源コード１３の絶縁材の皮をむいて、心線同士を撚り合わせて接続し、絶縁テープなどを巻いて固定している。しかし、このような心線同士を撚り合わせた改造では、電源コード１３を引っ張ると、撚り合わせが解けて、接続部に巻いた絶縁テープから心線部が逸脱してしまう恐れがある。
【００５５】
絶縁テープから逸脱して裸になった心線が周囲の金属部や水などに触れるとこれに繋がる広い範囲が充電部となり、感電の恐れが飛躍的に大きくなる。更に、絶縁テープで巻いても水密性を確保できない場合が多く、高湿な状態での温度変化などにより、絶縁性が低下し、思わぬ事故に発展する恐れも増大する。
【００５６】
電源コードに関する技術として、コンセント刃受部とプラグの挿刃の間の接触抵抗が長年の使用による酸化などで経年的に増加し、発熱で温度が上がったときに、負荷を遮断して火災などの重大事故を防ぐための図１１、図１２のように温度ヒューズ２３などの感温素子を設けているものもある。
【００５７】
図１１は従来の形態１における電源コードのプラグ部部分図である。図１２は従来の形態１における電源コードの回路図である。
【００５８】
この場合の動作について図１３を用いて説明する。図１３は従来の形態１における電源コードのプラグ異常の検出回路図である。
【００５９】
図１３において、１は電気機器（空気調和機）、５は負荷回路、１５は副導体、２３は温度ヒューズ、３３はインバータ、３６は判定回路、３９は素子状態検知回路、４０は制御電源回路、４３は遮断回路、４６は負荷装置、Ｍ１，Ｍ２は主コネクタ、Ｓ１，Ｓ２は副コネクタである。
【００６０】
プラグ１１の温度が正常である場合は、温度ヒューズ２３は導通しているのでインバータ３３の出力（例えばハイ）を受けて判定回路３６は正常と判定し、非遮断信号（例えばハイ）を出し、遮断回路４３は働かない。プラグ１１の温度が異常に高くなると温度ヒューズ２３が溶断し、インバータ３３が反転出力（ロー）し、判定回路３６がプラグ異常と判定し、遮断信号（ロー）を出力し、遮断回路４３が動作して、負荷装置４６への電力の供給が停まり、プラグ１１に流れる電流が激減し、プラグ１１の温度は降下し始め、大事に至ることは無い。
【００６１】
このような電源コード３を途中で切断し、市販の電源コード１０３を使用して改造した場合、主導体１４のみを市販の電源コード１０３につなぎ、副導体１５を切断したままにすると、インバータ３３への入力は温度ヒューズ２３が溶断したのと同じ状態になるので、遮断回路４３が働いて、負荷装置４６は運転しない。
【００６２】
しかし、これをかいくぐる改造も可能である。
【００６３】
図１４のように、副導体１５を捩じり合わせた場合について説明する。図１４は従来の形態１における電源コードの改造例である。
【００６４】
図において、６２は副導体捩り部、１０３は市販の電源コードである。
図１４のように、主導体捩じり部６１で市販の電源コード１０３と主導体１４を捩じり合わせ、副導体捩じり部６２で副導体１５を捩じり合わせるとインバータ３３の出力は温度ヒューズ２３が導通しているのと同じ（ハイ）になる。このため、判定回路３６はあたかも温度ヒューズ２３が正常に導通しているように判定し、非遮断信号（ハイ）を出力し、負荷装置４６への通電は遮断されず、負荷装置４６の運転が可能になる。
【００６５】
このように、プラグ１１に温度ヒューズ２３を内蔵させても、比較的簡単な改造で、電気機器１を運転可能にできるので、電源コード３の改造を諦めさせることはできない。
【００６６】
この場合、既設のコンセントに電源コード３が届かない状況を打開するために、電源コード３を切断し、市販の電源コード１０３で長さを長くしてコンセントまで届かせようとすると、折角、プラグ１１の異常温度を保護する機能がついているにもかかわらず、これを無効にする改造が行われたことになり、主導体捩じり部６１、副導体捩じり部６２の信頼性の不確かさと相俟って極めて不合理な改造が行われることになり、このような改造が為されないようにすることが望まれている。
【００６７】
また、図１１、図１２の温度ヒューズ２３の代わりにサーミスタ２５を設けているものもある。
【００６８】
この場合の動作について図１５を用いて説明する。図１５は従来の形態２における電源コードのプラグ異常の検出回路図である。
【００６９】
図１５において、２５はサーミスタ、３４はコンパレータ、３５はアンドゲートである。
【００７０】
プラグ１１の温度が正常である場合は、サーミスタ２５の抵抗値は温度に応じた正常な値の範囲に収まっている。このように、プラグ１１の温度が下限温度以上で上限温度以下の場合、インバータ３３でサーミスタ２５の抵抗値と正常な温度範囲の下限温度を示す上限抵抗と比較する。この場合、サーミスタ２５の抵抗値≦上限抵抗となるのでインバータ３３は正常信号（例えばハイ）を出力する。
【００７１】
他方、コンパレータ３４でサーミスタ２５の抵抗値と正常な温度範囲の上限温度を示す下限抵抗と比較する。この場合、下限抵抗≦サーミスタ２５の抵抗値となるのでコンパレータ３４は正常信号（ハイ）を出力する。両方の信号を受けアンドゲート３５から判定回路３６に正常信号（ハイ）がだされ、判定回路３６は非遮断信号（ハイ）を出力し、遮断回路４３は負荷装置４６を運転可にする。
【００７２】
プラグ１１の温度が異常に上がった場合にはサーミスタ２５の抵抗値は小さくなって、サーミスタ２５の抵抗値＜下限抵抗となってコンパレータ３４の出力が反転し（ロー）、アンドゲート３５が判定回路３６に異常信号（ロー）を出力し、判定回路３６は遮断信号（ロー）を出力し、遮断回路４３は負荷装置４６への通電を遮断して、運転を不可にする。サーミスタ２５の回路がショートした場合も、同様にコンパレータ３４の出力が反転し、遮断回路４３は負荷装置４６への通電を遮断して、運転を不可にする。
【００７３】
プラグ１１の温度が異常に下がった場合にはサーミスタ２５の抵抗値は大きくなって、上限抵抗＜サーミスタ２５の抵抗値となって、インバータ３３の出力が反転し（ロー）、アンドゲート３５が判定回路３６に異常信号（ロー）を出力し、判定回路３６は遮断信号（ロー）を出力し、遮断回路４３は負荷装置４６への通電を遮断して、運転を不可にする。サーミスタ２５の回路がオープンした場合も、同様にインバータ３３の出力が反転し、遮断回路４３は負荷装置４６への通電を遮断して、運転を不可にする。
【００７４】
このような電源コード３を途中で切断し、市販の電源コード１０３を使用して改造した場合について図１６〜図１７を用いて説明する。図１６は従来の形態２における電源コードの改造例１である。図１７は従来の形態２における電源コードの改造例２である。
【００７５】
図１６のように電源コード３を途中で切断し、市販の電源コード１０３を使用して改造した場合、主導体１４のみを市販の電源コード１０３につなぎ、副導体１５を切断したままにすると、インバータ３３への入力はサーミスタ２５の回路がオープンしたのと同じ状態になるので、遮断回路４３が働いて、負荷装置４６は運転しない。
【００７６】
また、切断した副導体１５を図１７のように捩じり合わせると、コンパレータ３４への入力はサーミスタ２５の回路がショートしたのと同じ状態になるので、遮断回路４３が働いて、負荷装置４６は運転しない。
【００７７】
しかし、このような電源コード３でも、改造を免れることはできない。
切断した副導体１５に適宜な抵抗値を持つ市販の抵抗をつないだ場合について図１８を用いて説明する。図１８は従来の形態２における電源コードの改造例３である。
【００７８】
図１８において、１２５は市販の抵抗である。
【００７９】
適宜な抵抗値としては、切断した電源コード３に内蔵されているサーミスタ２５の常温での抵抗値を用いることができる。このように、副導体１５にサーミスタ２５の常温での抵抗値に近い抵抗値を持つ市販の抵抗をつなぐことで、素子状態検知回路３９はプラグ１１の温度が正常であると判定し非遮断信号（ハイ）を出力し、遮断回路４３は負荷装置４６への通電を可とし、負荷装置４６は運転可能となる。
【００８０】
市販の抵抗には多彩な種類があり、サーミスタ２５の常温時の抵抗値に近いものは容易に入手可能であり、格別の困難は無い。
【００８１】
本発明は、このような不適切な改造を抑制するために為されたものであり、以下、実施の形態１の電気機器の動作について図１〜図３を用いて説明する。図１は本発明の実施の形態１における電源コードのプラグ部部分図である。図２は本発明の実施の形態１における電源コードの回路図である。図３は本発明の実施の形態１における電源コードのプラグ異常の検出回路図である。
【００８２】
図１〜図３において、２１，Ｌはインダクタンス素子、３１はＬＣ発振回路、３２，Ｃはキャパシタ、３８は素子同定回路である。
【００８３】
実施の形態１の電気機器は従来の電気機器の電源コードをプラグにインダクタンス素子を内蔵した電源コードに換え、素子状態検知回路を素子同定回路に変えたものであり、従来と同一の機能を有する部分には同一の符号を施し、説明を省略する。
【００８４】
プラグ１１には、主導体１４と挿刃１２の接続部の他にインダクタンス素子２１と副導体１５との接続部が埋め込まれている。副導体１５は主導体１４と共に絶縁材１７で覆われてコード１３を形成し、主導体１４と並列に電気機器１の本体まで延伸されている。Ｍ１、Ｍ２は電気機器１の本体に設けられた主コネクタであり、電源コード３の主導体１４が接続され、Ｓ１、Ｓ２は副コネクタであり、副導体１５が接続される。
【００８５】
この電気機器１を運転する場合は、プラグ１１をコンセントに差込み、運転操作を行う。電気機器１の本体の制御基板内には図３に示すように素子同定回路３８が組込まれ、副コネクタＳ１、Ｓ２を介してプラグ１１のインダクタンス素子２１につながっている。素子同定回路３８にはプラグ１１に埋め込まれたインダクタンス素子２１と制御基板内のキャパシタ３２を使用したＬＣ発振回路３１が設けられていて、所定周波数で発振するように設定されている。
【００８６】
電気機器１の運転操作が為されたとき、素子同定回路３８の判定回路３６では発振周波数が素子のバラつきを考慮した所定の範囲内か否かを判定し、所定の範囲外のときは、遮断回路４３を作動させて、負荷装置４６への通電を遮断する。発振周波数が所定の範囲内であれば、つなげられているインダクタンス素子が所定のインダクタンス素子２１であると同定し、遮断回路４３を作動させずに負荷装置４６への通電を許容する。
【００８７】
実施の形態１ではプラグ１１にインダクタンス素子２１、電気機器本体にキャパシタンス素子３２を配置したが、これを入れ替えて、プラグ１１にキャパシタンス素子を内蔵させ、電気機器本体にインダクタンス素子を配置し、これらを使用してＬＣ発振回路を構成しても同様の効果を得ることができるのは自明である。このように、プラグ１１にリアクタンス素子を設け、電気機器本体にリアクタンスの大きさを同定する回路を設けることで、同定の成否で電気機器の運転の可否を決する。
【００８８】
但し、プラグ１１にキャパシタンス素子を内蔵させた場合、電源コード３が長く、外部に露出していて外部からのノイズの影響を受けやすくなるので、厳重なノイズ対策が欠かせない。このため、より好ましい実施の形態としてはプラグ１１に内蔵するリアクタンス素子として誘導成分が支配的であることが望ましい。
【００８９】
実施の形態１では誘導成分が支配的であるリアクタンス素子としてコイルを使用した。コイルを使用することで、温度、ノイズなど外部環境による誘導成分の変化をわずかにすることができ、外部環境の変化に対する耐性が向上する。この時、コイルのインダクタンスの大きさが５０μH未満であると、電源コードの長短によるリアクタンス成分の大きさの変動で、リアクタンスの大きさを同定する時の支障となり、リアクタンスの大きさの同定を誤る場合が生じる。
【００９０】
リアクタンスの大きさが２ｍＨを超えると、コイルの巻数が増加し、寸法が大きくなり、これを内蔵させるプラグの寸法が過大になり、価格も上がってしまい、現実的でない。
【００９１】
電気機器１からコンセントまでの距離が遠く、電気機器１についている電源コード３では届かない場合、コンセントの位置を電源コード３が届く範囲に変えることが必要になる。この手間を惜しんで、電源コード３を切断し、市販の電源コード１０３で代用しようとすることが考えられる。
【００９２】
この場合について図４〜図６を用いて説明する。図４は本発明の実施の形態１における電源コードの改造例１である。
【００９３】
まず、電源コード３を切断し、図４のように市販の電源コード１０３に換えた場合について考える。この場合、主導体１４を主導体捩り部６１で撚り合わせてつなぎ、副導体１５を副導体捩り部６２で撚り合わせる。
【００９４】
このように、主導体１４を主導体捩り部６１で撚り合わせてつなぎ、副導体１５を副導体捩り部６２で撚り合わせただけでは、ＬＣ発振回路３１は発振に必要なインダクタンス成分が無いため、発振できず、判定回路３６はプラグ異常と判定し、遮断回路４３に遮断信号を出力し、負荷装置４６への通電が止まる。
【００９５】
また、副導体１５を切断したままにしても、上述と同様に、副導体１５の回路にはインダクタンス成分が無いため、素子同定回路３８のＬＣ発振回路３１で発振が起きず、判定回路３６で電源コード３の改造有りと判定され、遮断信号が遮断回路４３に送られ、遮断回路４３が作動し、負荷装置４６への通電が遮断され、電気機器１は運転しない。
【００９６】
次に、適宜なインダクタンス素子を副導体につないだ場合について図５を用いて説明する。図５は本発明の実施の形態１における電源コードの改造例２である。
【００９７】
図５において、１２１は特殊仕様のコイルである。
【００９８】
この場合、ＬＣ発振回路３１は改造で取付けられたインダクタンス素子１２１と既存のキャパシタ３２との共振により発振する。しかし、発振周波数が所定の範囲に入っていなければ判定回路３６はインダクタンス素子１２１が所定のインダクタンス素子２１と異なるとし、遮断信号を遮断回路４３に出力し、遮断回路４３は負荷装置４６への通電を遮断し、負荷装置４６の運転が不可となる。
【００９９】
インダクタンスの大きさが適切なコイルを取付ければ、負荷装置４６の運転が可能になる。しかし、適切なインダクタンスの大きさを求めるためには切断した電源コード３に内蔵されたインダクタンス素子２１のインダクタンスの大きさを測る必要があるが、抵抗値ならテスタなどで簡単に測れるが、インダクタンスの大きさを測るためにはオシロスコープなどの高価な測定器が必要となり、電気機器１の設置の際に、簡便に測れるものではない。
【０１００】
更に、市販されているインダクタンス素子としてはコイルが一般的であるが、インダクタンスの大きさはコイルの径、巻数、コアの材質により千差万別であり、また、需要が少ないため、店頭に並んでいるのは極限られた用途のものばかりで、かつ、インダクタンスの大きさを明示してあるものは少なく、大きさ、容量などの仕様が希望に沿うコイルを見つけ出すことは至難の業である。
【０１０１】
仮に測れとして、インダクタンスの大きさから、コイルを設計しても、カットアンドトライで何種類かのコイルを作ってみて、テストをしてみる必要があり、更に、上述のようにその仕様のコイルが市販されているとは限らない。このため、電源用のコンセントの位置を電気機器１の近くに設置しなおす手間以上の手間が掛かることになり、電源コード３の改造を思いとどまることになる。
【０１０２】
このように、実施例の電気機器は、先端にプラグを有する電源コードを備え、該プラグにリアクタンス素子を内蔵し、該電気機器の本体に該リアクタンス素子のリアクタンスの大きさを同定する同定回路を設け、該同定回路の出力に応じて、該電気機器の運転の可／不可を決する制御装置を備える。
【０１０３】
一般に、家庭用の電気機器で運転電流が大きく、専用コンセントにつなぐように義務付けされている空気調和機などの電源コードでは、電源コードの先端を切断し、市販のコードを間に挟んで長さを延長したり、刃型を既設のコンセントに合わせて市販のプラグに変えたりする不適切な改造が一部の心無い業者によって行われる場合がある。
【０１０４】
この場合、切断部を再接続した部分は導体の接触性、絶縁の耐湿性、耐水性、耐熱性、接続強度などの品質レベルは改造前の品質レベルと比べて下がる傾向にあり、異常が生ずるリスクが高くなる。
【０１０５】
実施例の電気機器では、電源プラグを切断し、コンセントに合わせて別の刃型の汎用のプラグに不正に改造した場合など、汎用のプラグにはプラグ同定用のリアクタンス素子が無いため、リアクタンスの大きさの同定ができず、前記電気機器の運転を不可とすることができ、該電気機器は使用できなくなり、改造に伴って生ずる諸々のリスクを小さくすることができる。
【０１０６】
このとき、電気機器はこのままでは使用できなくなるが、コンセントまで届く長さの純正パーツを入手し、交換することや、合わせて、コンセントの形状を適切なものに変更するなどで容易に機能を回復することができる。このように、不適切な改造に対して金銭的な損害を与えることで、不適切な改造を思うとどまらせることができるようになり、電気機器の製造時の信頼性が不適切な改造で損なわれることを回避することができる。
【０１０７】
このため、不適切な改造による信頼性の低下を回避できる電気機器を提供することができる。
【０１０８】
また、実施例の電気機器は、前記リアクタンス素子は誘導成分が支配的である。
【０１０９】
これにより、該リアクタンス素子を同定するときに、電源周波数付近で電源ラインに生じ易い浮遊容量の影響を少なくすることができ、同定の精度が向上し、誤って正常なプラグの状態を異常と判定し、電源コードが改造されたとして、運転できなくなると言う、信頼性を根底から揺るがす事態を避けることができる。
【０１１０】
このため、誤判定が少なく、適正に据付けられた製品の信頼性を適正に維持することができる電気機器を提供することができる。
【０１１１】
また、実施例の電気機器は、前記誘導成分が支配的であるリアクタンス素子としてコイルを使用する。
【０１１２】
これにより、前記プラグに内蔵するのに好適な、小型で、前記プラグが遭遇する環境の温度、衝撃、振動に十分な耐性を持ったリアクタンス素子を低価格で入手可能となり、あまり大きくせずに該プラグに内蔵でき、信頼性も確保することができるので、改造に因る事故のリスクの増加を回避できる電源コードの採用に対するハードルが低くなる。
【０１１３】
このため、信頼性が低下した改造での運転が拒否され、改造に因る事故のリスクの増加を回避できる電気機器を提供することができる。
【０１１４】
また、実施例の電気機器は、前記コイルのインダクタンスの大きさを５０μＨ〜２ｍＨとする。
【０１１５】
これにより、コイルのインダクタンスの大きさを最小の５０μHとした場合でも、電源コードの長短によるリアクタンス成分の大きさの変動がコイルのインダクタンスの大きさに較べて十分小さくなり、リアクタンスの大きさを同定する時の支障となることが無く、リアクタンスの大きさの同定を誤ることが無くなる。
【０１１６】
このリアクタンスの大きさは大きいほど、同定の精度が上がるが、リアクタンスの大きさが大きいと、コイルで言えば、巻数が増加し、寸法が大きくなり、コイルの価格が上がってしまう。この限界はコイルのインダクタンスが２ｍＨ程度のところに有り、これより大きいと、これを内蔵させるプラグの寸法が過大になり、製品である電気機器とのバランスが悪くなる。
【０１１７】
このため、適正に、リアクタンスを同定して、改造の有無を判定し、改造に因る事故のリスクの増加を回避できる電気機器を提供することができる。
【０１１８】
また、実施例の電気機器は、前記同定回路は前記リアクタンス素子を含むＬＣ共振回路の発振周波数が所定の範囲であるときに該リアクタンス素子を所定のものと同定する。
【０１１９】
これにより、簡単な回路により、前記リアクタンス素子を所定のものと精度良く同定できるので、誤って正常なプラグの状態を異常と判定し、該電気機器が改造されたとして、運転できなくなると言う、信頼性の低下を回避できると共に、コストの増加が抑制され、改造に因る事故のリスクの増加を回避できる電源コードの採用に対するハードルが低くなる。
【０１２０】
このため、信頼性が低下した改造での運転が拒否され、改造に因る事故のリスクの増加を回避できる電気機器を提供することができる。
【０１２１】
また、実施例の電気機器は、前記同定回路が前記リアクタンス素子を所定のものと同定した場合は、該電気機器の運転を可とする制御装置を備える。
【０１２２】
これにより、前記電源コードを改造することなしに使用している正常な使用の場合だけ前記電気機器の運転を可能とし、該電源コードを切断して、コンセント形状に合った別のプラグを使用したり、長さを増した別のプラグを使用したりした場合は、前記リアクタンス素子のリアクタンスの大きさが異なってくるので、所定のリアクタンス素子であるとは同定されないので、該電気機器の運転を不可とする。
【０１２３】
このようにすることで、該電源コードの正常な使用の場合は支障なく運転でき、該電源コードの切断などの不適切な改造が行われた場合は、運転を不可にして、該電源コードの改造に因る事故のリスクの増加を回避することができる。
【０１２４】
このため、電源コードが正常な場合は支障なく運転でき、電源コードが改造された場合には運転を不可にして、改造に因る事故のリスクの増加を回避する電気機器を提供することができる。
【０１２５】
また、実施例の電気機器は、前記電源コードに該電気機器の使用電流を賄う主導体と並列に、前記リアクタンス素子と前記同定回路を結ぶ副導体を設ける。
【０１２６】
これにより、前記リアクタンス素子のリアクタンスの大きさの同定が前記副導体の前記同定回路側の先端で可能となり、該リアクタンスの大きさを精度良く把握し、所定のリアクタンスの大きさとの同定作業を容易に行うことができる。
【０１２７】
また、該電源コードを切断し、切断部に市販のコードをつないで長さを延長し、先端には切断したプラグ部を使用しようとしても、つなぎ直さなければならない場所が、主導体４箇所、副導体４箇所となり、改造者の手間が増えて、改造の意欲が減殺され、萎縮し、改造を思いとどまるようになる。
【０１２８】
このため、電源コード先端のプラグに埋め込んだリアクタンス素子のリアクタンスの大きさの同定が容易で、電源コードの改造が面倒となる電気機器を提供することができる。
【０１２９】
更に、実施の形態１の電気機器では、前述のような電源コード３の改造が検出された場合に、ブザー音、音声、表示灯の点灯又は点滅、表示装置での文字表示、無線又は有線による遠隔場所への伝達などの手段により、電源コード改造の旨を告知する報知手段を設けている。これにより、電気機器の運転不可が電源コードの改造に原因するものであることが速やかに判明し、解決へのすばやい対応が可能になる。
【０１３０】
このように、実施例の電気機器は、前記制御装置が該電気機器の運転を可としない場合に電源コードの異常を報知する報知手段を有する。
【０１３１】
これにより、該電源コードの改造者が該電気機器の運転が不可である理由を知り、速やかに、復旧の手段を講ずることができ、復旧までの時間を短くして、該電気機器の運転不可の期間を短縮できる。
【０１３２】
このため、電源コード改造に因る事故のリスクの増加を回避しつつ、復旧までの時間を短縮できる電気機器を提供することができる。
【０１３３】
また、改造の際に切断したプラグ１１を使用し、主導体１４、副導体１５の両方を、市販のコード１１３でつなぐことも考えられる。
【０１３４】
この場合について図６を用いて説明する。図６は本発明の実施の形態１における電源コードの改造例３である。
【０１３５】
改造の際に切断したプラグ１１を使用し、主導体１４、副導体１５の両方を、市販のコード１１３でつないだ場合、素子同定回路３８の判定回路３６は、電源コード３’は改造されていないと判断し、遮断回路４３に非遮断信号を出力し、負荷装置４６の運転を可とする。しかし、副導体１５を主導体１４に比べて格段に細くすることで、電源コード３を改造しようとしても、手作業で主導体１４の絶縁被覆１７を皮むきするときに、副導体１５が切断するなど損傷してしまい、修復が困難になる。
【０１３６】
このような困難な作業を副導体１５について４箇所で行わなければならい。このため、電源用のコンセントの位置を電気機器１の近くに設置しなおす手間以上の手間が掛かることになり、電源コード３の改造を思いとどまることになる。
【０１３７】
実施の形態１では、副導体１５の導体断面積を主導体１４の導体断面積の１／４以下とした。こうようにすることで、電源コード３を手作業で改造するときに、副導体１５が損傷を受け、修復できなくなることが多くなり、電源コード３の改造を諦めるようになる。また、副導体１５の導体断面積を主導体１４の導体断面積の１／２０未満とすると、製造過程でも副導体１５の損傷が頻繁に起こり、コストが上がってしまい、得策ではない。
【０１３８】
また、副導体１５として実施の形態１では撚り線を用いた。これにより、製造過程、据付過程、使用過程で電源コードが受ける通常の屈曲動作に十分耐えられる電源コードとすることができた。
【０１３９】
このように、実施例の電気機器は、前記副導体の絶縁被覆と前記主導体の絶縁被覆が１体に形成され、該副導体の導体断面積が該主導体の導体断面積の５％以上、２５％以下である。
【０１４０】
これにより、発熱を抑えるため太くなっている主導体と細い副導体が１体に形成されているので前記電源コードを改造しようとしても、強度がアンバランスな細い副導体と太い主導体が１体の絶縁材で被覆されているので、副導体の導体断面積が主導体の導体断面積の２５％以下では改造者が手作業で接続部の絶縁被覆を、副導体を損傷せずに除去することが困難になり、電源コードの改造意欲を衰えさせ、改造を思いとどまるようになる。
【０１４１】
副導体の導体断面積が主導体の導体断面積の５％未満では、製造工程で主導体と副導体を平行に維持して成形することが困難になり、該電源コードのコストが上がり、得策ではない。
【０１４２】
このため、電源コードの改造がほとんど不可能で、電源コード改造に因る事故のリスクの増加を回避できる電気機器を提供することができる。
【０１４３】
また、実施例の電気機器は、前記副導体の絶縁被覆と前記主導体の絶縁被覆が１体に形成され、該副導体の導体断面積が０．１〜０．５ｍｍ2である。
【０１４４】
これにより、発熱を抑えるため太くなっている主導体と細い副導体が１体に形成されているので前記電源コードを改造しようとしても、強度がアンバランスな細い副導体と太い主導体が１体の絶縁材で被覆されているので、導体断面積が０．５ｍｍ2以下では改造者が手作業で接続部の絶縁被覆を、副導体を損傷せずに除去することが困難になり、電源コードの改造意欲を衰えさせ、改造を思いとどまるようになる。
【０１４５】
導体断面積を０．１ｍｍ2より小さくすると、製造工程でも導体を損傷せずに絶縁被覆を除去することが困難になり、該電源コードのコストが上がり、得策ではない。
【０１４６】
このため、電源コードの改造がほとんど不可能で、電源コード改造に因る事故のリスクの増加を回避できる電気機器を提供することができる。
【０１４７】
また、実施例の電気機器は、前記副導体が撚り線で構成されている。
【０１４８】
これにより、前記電源コードを屈曲させたとき、屈曲の中心は前記主導体となって、該副導体に大きな伸縮を引起しても、該副導体を撚り線で構成することで、この大きな伸縮に耐え、前記プラグに内蔵された前記リアクタンス素子のリアクタンスの大きさの同定回路に支障をきたすことは無い。
【０１４９】
万が一、該副導体がこの大きな伸縮に耐えられなくなると、該副導体の断線に至るが撚り線の素線が同一の所で断線することは無く、断線箇所が分散することで１本の素線の断線箇所の導通を他の素線がカバーし、全体として導通が失われることは無く、この場合でも該リアクタンス素子のリアクタンスの大きさの同定回路に支障をきたすことは無く、同定回路の信頼性が向上する。
【０１５０】
このため、電源コード改造に因る事故のリスクの増加を回避でき、同定回路の信頼性が高い電気機器を提供することができる。
【０１５１】
また、実施の形態１では、プラグ１１に電流ヒューズを内蔵させた。これにより、電気機器１に過大な電流が流れたときに電気機器への通電を遮断し、過電流による損傷の拡大を回避する。この機能と本発明の電源コードの改造抑止効果により、プラグの過電流検知機能が維持され、まさかのときにその機能を発揮して異常の拡大を防止することができる。
【０１５２】
この場合、電流ヒューズに変えて温度ヒューズにすると、コンセントとプラグの導電接触部の過熱時に電気機器への通電を遮断し、過熱を回避する機能を維持することができる。
【０１５３】
一般に、プラグやコンセントには電流容量が定められていて、同じ電圧でも、許容電流の違いに依り、プラグの刃型が異なってくる。また、空気調和機のような電気機器は消費電力が大きいため、電気機器１台毎に、専用のブレーカと専用のコンセントを設ける必要がある。このため、家屋の新築時に空気調和機のような大型の電気機器については、あらかじめそれを据付ける場所を予測し、その近くに専用のコンセントを用意しておくことが必要になる。
【０１５４】
しかし、新築時の予測と実際に大型電気機器を据付ける時では事情が異なってきて、あらかじめ用意した専用のコンセントが電気機器の据付場所から離れたり、専用のコンセントが電気機器のプラグの刃型が適合しないことが時として生じる。この場合、専用のコンセントを電気機器の近くに設置しなおすことが必要になるが、この時、屋内配線が壁から露出したり、コンセントが壁から飛び出した設置になることを嫌う使用者が多く、手っ取り早く、電気機器の電源コードを改造して延長することが行われかねない。
【０１５５】
これを抑止するため、実施の形態１では、コイルを内蔵したプラグでも刃型が違うプラグと交換された場合は、内蔵するコイルのインダクタンスの大きさの違いから、正常なプラグではないと判定し、電気機器の運転を不可とする。これにより、コンセントに許容電流より大きい電流が流れることを防止できる。
【０１５６】
この場合、発振周波数の相違量を検出して、交換した電源コードの許容電流を求め、求められた許容電流の範囲内で電気機器を運転するようにしても良い。
【０１５７】
また、電源コード３と電気機器１の本体部との接続をねじ止め、端子の挿抜などで行う構成とし、改造により使用できなくなった電源コードを純正品の電源コードの導体に追加加工することなしに交換できるようにした。これにより、専用コンセントまでの距離が遠く、純正品の長い電源コードとの交換が簡単にでき、据付者の負担感が増えない。
【０１５８】
また、仮に、電源コード３の改造を行ったため電気機器の運転ができなくなっても、電源コードの純正品を入手し、適切に交換作業を行うことができるので、誤作業から速やかに復帰でき損害を小さくすることができる。
【０１５９】
このように、実施例の電気機器は、前記プラグに前記リアクタンス素子の他に、電流ヒューズ、温度ヒューズ、感熱素子の何れか１以上を内蔵する。
【０１６０】
これにより、前記電源コードの改造に因るリスク以外の、電源コードの圧迫によるショートや、コンセントとプラグの接触不十分による発熱などから生ずる重大なリスクを未然に防ぐことができる。このような重大なリスクを未然に防ぐことができる機能を維持するためには電源コードの改造を不可にする必要があり、本発明を採用することで前述の機能が維持され、信頼性の低下を防ぐことができる。
【０１６１】
このため、電源コードにまつわる諸種のリスクが軽減される電気機器を提供することができる。
【０１６２】
また、実施例の電気機器は、前記電源コードの該電気機器本体側の接続部を挿抜、螺着等の再現可能な接続方式とする。
【０１６３】
これにより、該電源コードの長さが不足しているときなどでも、コンセントまで届く長さの純正パーツを入手し、交換することで容易に正常な状態で運転することができる。
【０１６４】
このため、電源コードの改造を思いとどまらせ、電源コード改造に因る事故のリスクの増加を回避できる電気機器を提供することができる。
【０１６５】
また、実施例の電気機器は、前記リアクタンス素子のリアクタンスの大きさを少なくとも前記プラグの刃型に応じて変更する。
【０１６６】
これにより、電源プラグを切断し、コンセントに合わせて本発明のリアクタンス素子を内蔵した別の刃型のプラグに不正に改造し、副導体を何らかの方法で前記同定回路に接続しても、改造プラグに内蔵されたリアクタンス素子のリアクタンスの大きさが、正規なプラグに内蔵されたリアクタンス素子のリアクタンスの大きさと異なるため、リアクタンスの大きさの同定が行われず、運転不可となる。
【０１６７】
このため、電源コードの改造を思いとどまらせ、電源コード改造に因る事故のリスクの増加を回避できる電気機器を提供することができる。
【０１６８】
実施の形態２の電気機器の動作について図７を用いて説明する。図７は本発明の実施の形態２における電源コードのプラグ異常の検出回路図である。
【０１６９】
図７において、５１は電流ヒューズ、５２はバリスタである。
【０１７０】
実施の形態２の電気機器は実施の形態１の電気機器の素子同定回路に電流ヒューズとバリスタを追加したものであり、実施の形態１と同一の機能を有する部分には同一の符号を施し、説明を省略する。
【０１７１】
実施の形態２ではインダクタンス素子２１と直列に電流ヒューズ５１、並列にバリスタ５２を設ける。これにより、長さが長く、ノイズが乗りやすい電源コード３から侵入するノイズで、低電圧で微細な電流で制御され、ノイズの影響を受けやすい素子同定回路３８が誤動作するのを防ぐことができる。
【０１７２】
次に、実施の形態２の電気機器の電源コードを改造した場合について図８を用いて説明する。図８は本発明の実施の形態２における電源コードの改造例である。
【０１７３】
電源コード３を切断し、図８のように市販の電源コード１０３に換えた場合について考える。この場合、主導体１４を主導体捩り部６１で撚り合わせてつなぎ、副導体１５を副導体捩り部６２で撚り合わせる。
【０１７４】
この改造は、実施の形態１の図４の改造と同一で有り、このように、主導体１４を主導体捩り部６１で撚り合わせてつなぎ、副導体１５を副導体捩り部６２で撚り合わせただけでは、ＬＣ発振回路３１は発振に必要なインダクタンス成分が無いため、発振できず、判定回路３６はプラグ異常と判定し、遮断回路４３に遮断信号を出力し、負荷装置４６への通電が止まる。
【０１７５】
同様に、実施の形態１の副導体を切断したままにする改造、図５の改造、図６の改造でも前述と同様のことが起こり、実施の形態１の副導体を切断したままにする改造では電源コード３が改造されたと判定され、負荷装置４６の運転は不可になる。また、図５の改造、図６の改造では、改造の手間が大変で、電源用のコンセントを電気機器１の近くに設置しなおすほうがはるかに手間が掛からないことで、電源コード３の改造を思い止まらせることができる。
【０１７６】
このように、実施例の電気機器は、前記リアクタンス素子と前記同定回路間の該電気機器本体内の配線に、直列に電流ヒューズ、並列にバリスタを設ける。
【０１７７】
これにより、電源コードと同様の長さがあるため、外来のノイズを拾いやすい副導体が拾ったノイズが同定回路に入り込んで、同定回路の誤動作や同定回路の損傷を引起すのを防止することができる。これは、同定のために流す電流が小さくなればなるほど、外来ノイズの影響が大きくなるので、本発明のように、検知線を細くしなければならない使用法に合致した技術である。
【０１７８】
このため、電源コード改造に因る事故のリスクの増加を回避でき、同定回路の信頼性が高い電気機器を提供することができる。
【０１７９】
実施の形態３は実施の形態１の技術を空気調和機に適用したものである。空気調和機は消費電力が大きいため、空気調和機１台毎に、専用のブレーカと専用のコンセントを設ける必要がある。また、能力が大きい空気調和機では、同じ電圧でも、使用時の電流が大きくなるため、プラグの刃型が、使用時の電流が小さい空気調和機のプラグの刃型と異なってくる。
【０１８０】
空気調和機の普及が進むに連れ、家屋の新築時に、主な部屋に対し、あらかじめ、空気調和機の据付場所を想定し、冷媒配管の孔と専用コンセントが設置されるようになった。しかし、家屋の新築時と実際の据付時では事情が異なり、あらかじめ想定していた場所や能力の大きさが異なってくることがある。
【０１８１】
このため、折角用意した専用コンセントが無駄になる事態が生じはなはだ不本意な状態になる。新築時に設置する専用コンセントは屋内配線を室内からは見えないように壁の中に引き回し、コンセントも壁に埋め込んで体裁よく仕上げるのが普通であり、部屋の使用者が壁に新たな屋内配線をむき出しに配線し、壁から突き出して専用コンセントを取付けるのを嫌がることは想像に難くない。
【０１８２】
その妥協策として、空気調和機の効き具合に多少の難は合っても、据付場所は冷媒配管用の穴が開いている場所にし、電源コードを延長する又はプラグを変更することが提案される。本発明の空気調和機では電源コードを切断して市販の電源コードで延長したり、市販のプラグに変更すると電源プラグ異常と判定され空気調和機は運転しない。
【０１８３】
このような場合、本発明の空気調和機ではプラグの刃型がコンセントと合う純正の電源コード、または、長さの長い純正の電源コードを入手し、交換する。空気調和機本体の制御回路にはプラグに内蔵されたコイルのインダクタンスの大きさに応じて、プラグの許容電流を参照して選定できる記憶装置、制御装置を備え、発振周波数から判定されたインダクタンスの大きさに応じて選定された許容電流の範囲内で空気調和機を運転する。
【０１８４】
このようにすることにより、信頼性の低下を招く不正な改造を排除し、適正な電源コードを使用することで、信頼性の低下が無く、使用者にも満足してもらえる空気調和機を提供できる。
【０１８５】
このように、実施例の空気調和機は、先端にプラグを有する電源コードを備え、該プラグにリアクタンス素子を内蔵し、該空気調和機に該リアクタンス素子のリアクタンスの大きさを同定する同定回路を設け、該同定回路の出力に応じて、該空気調和機の運転の可／不可を決する制御装置を備える。
【０１８６】
これにより、電源プラグを切断し、コンセントに合わせて別の刃型の汎用のプラグに不正に改造した場合など、汎用のプラグにはプラグ同定用のリアクタンス素子が無いため、リアクタンスの大きさの同定ができず、前記空気調和機の運転を不可とすることができ、該空気調和機は使用できなくなり、改造に伴って生ずる諸々のリスクを小さくすることができる。
【０１８７】
このため、不適切な改造による信頼性の低下を回避できる空気調和機を提供することができる。
【０１８８】
また、実施例の空気調和機は、前記リアクタンス素子のリアクタンスの大きさを少なくとも前記プラグの刃型に応じて変更し、該リアクタンスの大きさから該プラグの許容電流を求め、求められた許容電流の範囲内で該空気調和機を運転する。
【０１８９】
これにより、空気調和機の近くに設けられたコンセントの刃型が空気調和機のプラグの刃型と合わない場合、コンセントの刃型にあった純正の電源コードと交換することで、空気調和機の能力はフルに発揮できないかもしれないが、使用環境によってはこれで十分な場合に、簡単な作業で対処が可能となる。
【０１９０】
このため、電源コードの改造が抑止され、信頼性の低下を回避できる空気調和機を提供することができる。
【０１９１】
以上説明したように、請求項１記載の電気機器によれば、先端にプラグを有する電源コードを備え、該プラグにリアクタンス素子を内蔵し、該電気機器の本体に該リアクタンス素子のリアクタンスの大きさを同定する同定回路を設け、該同定回路の出力に応じて、該電気機器の運転の可／不可を決する制御装置を備える。
【０１９２】
これにより、電源プラグを切断し、コンセントに合わせて別の刃型の汎用のプラグに不正に改造した場合など、汎用のプラグにはプラグ同定用のリアクタンス素子が無いため、リアクタンスの大きさの同定ができず、前記電気機器の運転を不可とすることができ、該電気機器は使用できなくなり、改造に伴って生ずる諸々のリスクを小さくすることができる。
【０１９３】
このとき、電気機器はこのままでは使用できなくなるが、コンセントまで届く長さの純正パーツを入手し、交換することや、合わせて、コンセントの形状を適切なものに変更するなどで容易に機能を回復することができる。このように、不適切な改造に対して金銭的な損害を与えることで、不適切な改造を思うとどまらせることができるようになり、電気機器の製造時の信頼性が不適切な改造で損なわれることを回避することができる。
【０１９４】
このため、不適切な改造による信頼性の低下を回避できる電気機器を得ることができる。
【０１９５】
また、請求項２記載の電気機器によれば、前記リアクタンス素子は誘導成分が支配的である。
【０１９６】
これにより、該リアクタンス素子を同定するときに、電源周波数付近で電源ラインに生じ易い浮遊容量の影響を少なくすることができ、同定の精度が向上し、誤って正常なプラグの状態を異常と判定し、電源コードが改造されたとして、運転できなくなると言う、信頼性を根底から揺るがす事態を避けることができる。
【０１９７】
このため、誤判定が少なく、適正に据付けられた製品の信頼性を適正に維持することができる電気機器を得ることができる。
【０１９８】
また、請求項３記載の電気機器によれば、前記誘導成分が支配的であるリアクタンス素子としてコイルを使用する。
【０１９９】
これにより、前記プラグに内蔵するのに好適な、小型で、前記プラグが遭遇する環境の温度、衝撃、振動に十分な耐性を持ったリアクタンス素子を低価格で入手可能となり、あまり大きくせずに該プラグに内蔵でき、信頼性も確保することができるので、改造に因る事故のリスクの増加を回避できる電源コードの採用に対するハードルが低くなる。
【０２００】
このため、信頼性が低下した改造での運転が拒否され、改造に因る事故のリスクの増加を回避できる電気機器を得ることができる。
【０２０１】
また、請求項４記載の電気機器によれば、前記コイルのインダクタンスの大きさを５０μＨ〜２ｍＨとする。
【０２０２】
これにより、コイルのインダクタンスの大きさを最小の５０μHとした場合でも、電源コードの長短によるリアクタンス成分の大きさの変動がコイルのインダクタンスの大きさに較べて十分小さくなり、リアクタンスの大きさを同定する時の支障となることが無く、リアクタンスの大きさの同定を誤ることが無くなる。
【０２０３】
このリアクタンスの大きさは大きいほど、同定の精度が上がるが、リアクタンスの大きさが大きいと、コイルで言えば、巻数が増加し、寸法が大きくなり、コイルの価格が上がってしまう。この限界はコイルのインダクタンスが２ｍＨ程度のところに有り、これより大きいと、これを内蔵させるプラグの寸法が過大になり、製品である電気機器とのバランスが悪くなる。
【０２０４】
このため、適正に、リアクタンスを同定して、改造の有無を判定し、改造に因る事故のリスクの増加を回避できる電気機器を得ることができる。
【０２０５】
また、請求項５記載の電気機器によれば、前記同定回路は前記リアクタンス素子を含むＬＣ共振回路の発振周波数が所定の範囲であるときに該リアクタンス素子を所定のものと同定する。
【０２０６】
これにより、簡単な回路により、前記リアクタンス素子を所定のものと精度良く同定できるので、誤って正常なプラグの状態を異常と判定し、該電気機器が改造されたとして、運転できなくなると言う、信頼性の低下を回避できると共に、コストの増加が抑制され、改造に因る事故のリスクの増加を回避できる電源コードの採用に対するハードルが低くなる。
【０２０７】
このため、信頼性が低下した改造での運転が拒否され、改造に因る事故のリスクの増加を回避できる電気機器を得ることができる。
【０２０８】
また、請求項６記載の電気機器によれば、前記同定回路が前記リアクタンス素子を所定のものと同定した場合は、該電気機器の運転を可とする制御装置を備える。
【０２０９】
これにより、前記電源コードを改造することなしに使用している正常な使用の場合だけ前記電気機器の運転を可能とし、該電源コードを切断して、コンセント形状に合った別のプラグを使用したり、長さを増した別のプラグを使用したりした場合は、前記リアクタンス素子のリアクタンスの大きさが異なってくるので、所定のリアクタンス素子であるとは同定されないので、該電気機器の運転を不可とする。
【０２１０】
このようにすることで、該電源コードの正常な使用の場合は支障なく運転でき、該電源コードの切断などの不適切な改造が行われた場合は、運転を不可にして、該電源コードの改造に因る事故のリスクの増加を回避することができる。
【０２１１】
このため、電源コードが正常な場合は支障なく運転でき、電源コードが改造された場合には運転を不可にして、改造に因る事故のリスクの増加を回避する電気機器を得ることができる。
【０２１２】
また、請求項７記載の電気機器によれば、前記制御装置が該電気機器の運転を可としない場合に電源コードの異常を報知する報知手段を有する。
【０２１３】
これにより、該電源コードの改造者が該電気機器の運転が不可である理由を知り、速やかに、復旧の手段を講ずることができ、復旧までの時間を短くして、該電気機器の運転不可の期間を短縮できる。
【０２１４】
このため、電源コード改造に因る事故のリスクの増加を回避しつつ、復旧までの時間を短縮できる電気機器を得ることができる。
【０２１５】
また、請求項８記載の電気機器によれば、前記電源コードに該電気機器の使用電流を賄う主導体と並列に、前記リアクタンス素子と前記同定回路を結ぶ副導体を設ける。
【０２１６】
これにより、前記リアクタンス素子のリアクタンスの大きさの同定が前記副導体の前記同定回路側の先端で可能となり、該リアクタンスの大きさを精度良く把握し、所定のリアクタンスの大きさとの同定作業を容易に行うことができる。
【０２１７】
また、該電源コードを切断し、切断部に市販のコードをつないで長さを延長し、先端には切断したプラグ部を使用しようとしても、つなぎ直さなければならない場所が、主導体４箇所、副導体４箇所となり、改造者の手間が増えて、改造の意欲が減殺され、萎縮し、改造を思いとどまるようになる。
【０２１８】
このため、電源コード先端のプラグに埋め込んだリアクタンス素子のリアクタンスの大きさの同定が容易で、電源コードの改造が面倒となる電気機器を得ることができる。
【０２１９】
また、請求項９記載の電気機器によれば、前記副導体の絶縁被覆と前記主導体の絶縁被覆が１体に形成され、該副導体の導体断面積が該主導体の導体断面積の５％以上、２５％以下である。
【０２２０】
これにより、発熱を抑えるため太くなっている主導体と細い副導体が１体に形成されているので前記電源コードを改造しようとしても、強度がアンバランスな細い副導体と太い主導体が１体の絶縁材で被覆されているので、副導体の導体断面積が主導体の導体断面積の２５％以下では改造者が手作業で接続部の絶縁被覆を、副導体を損傷せずに除去することが困難になり、電源コードの改造意欲を衰えさせ、改造を思いとどまるようになる。
【０２２１】
副導体の導体断面積が主導体の導体断面積の５％未満では、製造工程で主導体と副導体を平行に維持して成形することが困難になり、該電源コードのコストが上がり、得策ではない。
【０２２２】
このため、電源コードの改造がほとんど不可能で、電源コード改造に因る事故のリスクの増加を回避できる電気機器を得ることができる。
【０２２３】
また、請求項１０記載の電気機器によれば、前記副導体の絶縁被覆と前記主導体の絶縁被覆が１体に形成され、該副導体の導体断面積が０．１〜０．５ｍｍ2である。
【０２２４】
これにより、発熱を抑えるため太くなっている主導体と細い副導体が１体に形成されているので前記電源コードを改造しようとしても、強度がアンバランスな細い副導体と太い主導体が１体の絶縁材で被覆されているので、導体断面積が０．５ｍｍ2以下では改造者が手作業で接続部の絶縁被覆を、副導体を損傷せずに除去することが困難になり、電源コードの改造意欲を衰えさせ、改造を思いとどまるようになる。
【０２２５】
導体断面積を０．１ｍｍ2より小さくすると、製造工程でも導体を損傷せずに絶縁被覆を除去することが困難になり、該電源コードのコストが上がり、得策ではない。
【０２２６】
このため、電源コードの改造がほとんど不可能で、電源コード改造に因る事故のリスクの増加を回避できる電気機器を得ることができる。
【０２２７】
また、請求項１１記載の電気機器によれば、前記副導体が撚り線で構成されている。
【０２２８】
これにより、前記電源コードを屈曲させたとき、屈曲の中心は前記主導体となって、該副導体に大きな伸縮を引起しても、該副導体を撚り線で構成することで、この大きな伸縮に耐え、前記プラグに内蔵された前記リアクタンス素子のリアクタンスの大きさの同定回路に支障をきたすことは無い。
【０２２９】
万が一、該副導体がこの大きな伸縮に耐えられなくなると、該副導体の断線に至るが撚り線の素線が同一の所で断線することは無く、断線箇所が分散することで１本の素線の断線箇所の導通を他の素線がカバーし、全体として導通が失われることは無く、この場合でも該リアクタンス素子のリアクタンスの大きさの同定回路に支障をきたすことは無く、同定回路の信頼性が向上する。
【０２３０】
このため、電源コード改造に因る事故のリスクの増加を回避でき、同定回路の信頼性が高い電気機器を得ることができる。
【０２３１】
また、請求項１２記載の電気機器によれば、前記リアクタンス素子と前記同定回路間の該電気機器本体内の配線に、直列に電流ヒューズ、並列にバリスタを設ける。
【０２３２】
これにより、電源コードと同様の長さがあるため、外来のノイズを拾いやすい副導体が拾ったノイズが同定回路に入り込んで、同定回路の誤動作や同定回路の損傷を引起すのを防止することができる。これは、同定のために流す電流が小さくなればなるほど、外来ノイズの影響が大きくなるので、本発明のように、検知線を細くしなければならない使用法に合致した技術である。
【０２３３】
このため、電源コード改造に因る事故のリスクの増加を回避でき、同定回路の信頼性が高い電気機器を得ることができる。
【０２３４】
また、請求項１３記載の電気機器によれば、前記プラグに前記リアクタンス素子の他に、電流ヒューズ、温度ヒューズ、感熱素子の何れか１以上を内蔵する。
【０２３５】
これにより、前記電源コードの改造に因るリスク以外の、電源コードの圧迫によるショートや、コンセントとプラグの接触不十分による発熱などから生ずる重大なリスクを未然に防ぐことができる。このような重大なリスクを未然に防ぐことができる機能を維持するためには電源コードの改造を不可にする必要があり、本発明を採用することで前述の機能が維持され、信頼性の低下を防ぐことができる。
【０２３６】
このため、電源コードにまつわる諸種のリスクが軽減される電気機器を得ることができる。
【０２３７】
また、請求項１４記載の電気機器によれば、前記電源コードの該電気機器本体側の接続部を挿抜、螺着等の再現可能な接続方式とする。
【０２３８】
これにより、該電源コードの長さが不足しているときなどでも、コンセントまで届く長さの純正パーツを入手し、交換することで容易に正常な状態で運転することができる。
【０２３９】
このため、電源コードの改造を思いとどまらせ、電源コード改造に因る事故のリスクの増加を回避できる電気機器を得ることができる。
【０２４０】
また、請求項１５記載の電気機器によれば、前記リアクタンス素子のリアクタンスの大きさを少なくとも前記プラグの刃型に応じて変更する。
【０２４１】
これにより、電源プラグを切断し、コンセントに合わせて本発明のリアクタンス素子を内蔵した別の刃型のプラグに不正に改造し、副導体を何らかの方法で前記同定回路に接続しても、改造プラグに内蔵されたリアクタンス素子のリアクタンスの大きさが、正規なプラグに内蔵されたリアクタンス素子のリアクタンスの大きさと異なるため、リアクタンスの大きさの同定が行われず、運転不可となる。
【０２４２】
このため、電源コードの改造を思いとどまらせ、電源コード改造に因る事故のリスクの増加を回避できる電気機器を得ることができる。
【０２４３】
また、請求項１６記載の空気調和機によれば、先端にプラグを有する電源コードを備え、該プラグにリアクタンス素子を内蔵し、該空気調和機に該リアクタンス素子のリアクタンスの大きさを同定する同定回路を設け、該同定回路の出力に応じて、該空気調和機の運転の可／不可を決する制御装置を備える。
【０２４４】
これにより、電源プラグを切断し、コンセントに合わせて別の刃型の汎用のプラグに不正に改造した場合など、汎用のプラグにはプラグ同定用のリアクタンス素子が無いため、リアクタンスの大きさの同定ができず、前記空気調和機の運転を不可とすることができ、該空気調和機は使用できなくなり、改造に伴って生ずる諸々のリスクを小さくすることができる。
【０２４５】
このため、不適切な改造による信頼性の低下を回避できる空気調和機を得ることができる。
【０２４６】
また、請求項１７記載の空気調和機によれば、前記リアクタンス素子のリアクタンスの大きさを少なくとも前記プラグの刃型に応じて変更し、該リアクタンスの大きさから該プラグの許容電流を求め、求められた許容電流の範囲内で該空気調和機を運転する。
【０２４７】
これにより、空気調和機の近くに設けられたコンセントの刃型が空気調和機のプラグの刃型と合わない場合、コンセントの刃型にあった純正の電源コードと交換することで、空気調和機の能力はフルに発揮できないかもしれないが、使用環境によってはこれで十分な場合に、簡単な作業で対処が可能となる。
【０２４８】
このため、電源コードの改造が抑止され、信頼性の低下を回避できる空気調和機を得ることができる。
【符号の説明】
【０２４９】
Ｍ１，Ｍ２…主コネクタ、Ｓ１，Ｓ２…副コネクタ、１…電気機器（空気調和機）、３…電源コード、５…負荷回路、１１…プラグ、１２…挿刃、１３…コード、１４…主導体、１５…副導体、１７…絶縁材（絶縁被覆）、２１，Ｌ…インダクタンス素子、２３…温度ヒューズ、２５…サーミスタ、３１…ＬＣ発振回路、３２，Ｃ…キャパシタ、３３…インバータ、３４…コンパレータ、３５…アンドゲート、３６…判定回路、３８…素子同定回路、３９…素子状態検知回路、４０…制御電源回路、４３…遮断回路、４６…負荷装置、５１…電流ヒューズ、５２…バリスタ、６１…主導体捩り部、６２…副導体捩り部、１０３…市販の電源コード、１１１…市販のプラグ、１１３…市販のコード、１２１…特殊仕様のコイル、１２５…市販の抵抗。
【図１】
2014146524.tif 000003
【図２】
2014146524.tif 000004
【図３】
2014146524.tif 000005
【図４】
2014146524.tif 000006
【図５】
2014146524.tif 000007
【図６】
2014146524.tif 000008
【図７】
2014146524.tif 000009
【図８】
2014146524.tif 000010
【図９】
2014146524.tif 000011
【図１０】
2014146524.tif 000012
【図１１】
2014146524.tif 000013
【図１２】
2014146524.tif 000014
【図１３】
2014146524.tif 000015
【図１４】
2014146524.tif 000016
【図１５】
2014146524.tif 000017
【図１６】
2014146524.tif 000018
【図１７】
2014146524.tif 000019
【図１８】
2014146524.tif 000020